(57)【要約】【課題】商品の評価と利用者端末の現在位置近傍店舗の商品在庫及び価格を配信するシステム及び方法の提供。【解決手段】評価情報を格納する評価データベース（ＤＢ）と、商品の商品コードを読み取る利用者端末と、在庫情報を格納する在庫情報ＤＢとを備え、利用者端末が得た商品バーコードを基に評価情報を評価ＤＢから読み出すと共に利用者端末の位置情報(GPS)から所定範囲（近傍）の販売店を検索し、販売店のＰＯＳサーバーに接続された在庫情報ＤＢを検索して当該の商品の在庫状況を取得し、該在庫状況を利用者端末に表示させる。また評価情報を提供した商品が販売されたときに、ポイントを与え、評価情報提供者に対価を支払う。【選択図】図１【特許請求の範囲】
【請求項１】
店舗の位置情報を格納する店舗位置情報データベースと、商品に対する評価情報を商品コードと共に格納する評価データベースと、前記店舗位置情報データベース及び評価データベースにアクセス可能とするコンピュータとを備える商品評価情報配信システムであって、
前記コンピュータが、
評価者端末から入力された商品に対する評価情報を前記評価データベースに格納する評価情報格納部と、
利用者端末から任意の商品の商品コード及び当該利用者端末の位置情報を受信する受信部と、
前記受信部が受信した利用者端末の位置情報に基づき、当該利用者端末の位置から所定範囲内に在する位置情報をもつ店舗を前記店舗位置情報データベースから検索する店舗位置検索部と、
前記店舗位置検索部が検索した店舗における前記受信部が受信した商品コードの商品の在庫情報を取得する在庫情報取得部と、
前記受信部が受信した商品コードの商品に対する評価情報を前記評価データベースから取得する評価情報取得部と、
前記店舗位置検索部が検索した店舗の位置情報と、前記在庫情報取得部が取得した商品の在庫情報と、前記評価情報取得部が取得した評価情報とを前記利用者端末に送信する送信部とから構成されることを特徴とする商品評価情報配信システム。
【請求項２】
前記コンピュータが、前記任意の商品に関連する他商品の評価情報及び商品コードを前記評価データベースに格納する関連商品情報格納部と、前記評価データベースから前記関連する他商品の評価情報を検索する関連商品情報検索部と、前記関連商品情報検索部から検索した前記関連する他商品の在庫情報を利用者端末に送信する関連商品情報送信部とを備えることを特徴とする請求項１記載の商品評価情報配信システム。
【請求項３】
前記評価情報を提供した評価者に対する評価を格納する評価者データベースを設け、前記コンピュータが、前記評価データベースから評価情報を取得した商品を評価した評価者に対するポイントを前記評価者データベースに格納するポイント格納部を備えることを特徴とする請求項１又は２記載の商品評価情報配信システム。
【請求項４】
店舗の位置情報を格納する店舗位置情報データベースと、商品に対する評価情報を商品コードと共に格納する評価データベースと、前記店舗位置情報データベース及び評価データベースにアクセス可能とするコンピュータとを備え、商品の評価情報を配信するシステムの商品評価情報配信方法であって、
前記コンピュータが、
評価者端末から入力された商品に対する評価情報を前記評価データベースに格納する評価情報格納工程と、
利用者端末から任意の商品の商品コード及び当該利用者端末の位置情報を受信する受信工程と、
前記受信部が受信した利用者端末の位置情報に基づき、当該利用者端末の位置から所定範囲内に在する位置情報をもつ店舗を前記店舗位置情報データベースから検索する店舗位置検索工程と、
前記店舗位置検索部が検索した店舗における前記受信部が受信した商品コードの商品の在庫情報を取得する在庫情報取得工程と、
前記受信部が受信した商品コードの商品に対する評価情報を前記評価データベースから取得する評価情報取得工程と、
前記店舗位置検索部が検索した店舗の位置情報と、前記在庫情報取得部が取得した商品の在庫情報と、前記評価情報取得部が取得した評価情報とを前記利用者端末に送信する送信工程とを実行することを特徴とする商品評価情報配信方法。
【請求項５】
前記コンピュータが、前記任意の商品に関連する他商品の評価情報及び商品コードを前記評価データベースに格納する関連商品情報格納工程と、前記評価データベースから前記関連する他商品の評価情報を検索する関連商品情報検索工程と、前記関連商品情報検索部から検索した前記関連する他商品の在庫情報を利用者端末に送信する関連商品情報送信工程を実行することを特徴とする請求項４記載の商品評価情報配信方法。
【請求項６】
前記評価情報を提供した評価者に対する評価を格納する評価者データベースを設け、前記コンピュータが、前記評価データベースから評価情報を取得した商品を評価した評価者に対するポイントを前記評価者データベースに格納するポイント格納工程を実行することを特徴とする請求項４又は５記載の商品評価情報配信方法。
【請求項７】
商品に対する評価情報を配信するシステムであって、
プログラムを実行する処理サーバーと、
前記処理サーバーに接続された、各商品に対する評価情報を格納する評価データベース及び地域別に店舗に関する情報を格納する地域別店舗データベースと、
バーコード及びまたはＩＣタグを読み取り可能な利用者端末と、
該利用者端末と処理サーバーを結ぶ通信網の中間にある携帯電話会社通信手段と、
公衆通信回線で結ばれた評価者端末と、
インターネットと接続可能な各店舗のＰＯＳサーバーと、
該ＰＯＳサーバーに接続された各店舗の在庫情報を格納する在庫情報データベースとを備え、
利用者端末が商品のバーコード及び又はＩＣタグをスキャンすると該商品の商品コードが処理サーバーに送信され、処理サーバーは受信した商品コードを有する評価情報を評価データベースから読み出して利用者端末に送信し、続いて地域別店舗情報閲覧指示を処理サーバーが受信した場合には、処理サーバーは携帯電話会社通信手段から利用者端末の現在位置を取得し、取得した現在位置をもとに地域別店舗データベースを検索して利用者端末の現在位置の近傍にある店舗の前記ＰＯＳサーバーを特定し、前記ＰＯＳサーバーに接続された在庫情報データベースを前記商品コードで検索して前記商品の在庫状況を取得し、該在庫状況を利用者端末に送信して利用者端末に表示させることを特徴とした、商品評価情報配信システム。
【請求項８】
商品に対する評価情報を配信するシステムであって、
プログラムを実行する処理サーバーと、
前記処理サーバーに接続された、各商品に対する評価情報及びまたは前記商品に関連する商品に対する評価情報および該関連する商品の商品コードを格納する評価データベース及び地域別に店舗に関する情報を格納する地域別店舗データベースと、
バーコード及びまたはＩＣタグを読み取り可能な利用者端末と、
該利用者端末と処理サーバーを結ぶ通信網の中間にある携帯電話会社通信手段と、
公衆通信回線で結ばれた評価者端末と、
インターネットと接続可能な各店舗のＰＯＳサーバーと、
該ＰＯＳサーバーに接続された各店舗の在庫情報を格納する在庫情報データベースとを備え、
利用者端末が商品のバーコード及び又はＩＣタグをスキャンすると該商品の商品コードが処理サーバーに送信され、処理サーバーは受信した商品コード及び前記スキャンした商品と該商品に関連する商品の商品コードを有する評価情報を評価データベースから読み出して利用者端末に送信し、続いて地域別店舗情報閲覧指示を処理サーバーが受信した場合には、処理サーバーは携帯電話会社通信手段から利用者端末の現在位置を取得し、取得した現在位置をもとに地域別店舗データベースを検索して利用者端末の現在位置の近傍にある店舗の前記ＰＯＳサーバーを特定し、前記ＰＯＳサーバーに接続された在庫情報データベースを利用者端末で指定された前記関連する商品の商品コードで検索して前記利用者端末で指定された前記関連する商品の在庫状況を取得し、該在庫状況を利用者端末に送信して利用者端末に表示させることを特徴とした、商品評価情報配信システム。
【請求項９】
商品に対する評価情報を配信する方法であって、
プログラムを実行する処理サーバーと、
前記処理サーバーに接続された、各商品に対する評価情報を格納する評価データベース及び地域別に店舗に関する情報を格納する地域別店舗データベースと、
バーコード及びまたはＩＣタグを読み取り可能な利用者端末と、
該利用者端末と処理サーバーを結ぶ通信網の中間にある携帯電話会社通信手段と、
公衆通信回線で結ばれた評価者端末と、
インターネットと接続可能な各店舗のＰＯＳサーバーと、
該ＰＯＳサーバーに接続された各店舗の在庫情報を格納する在庫情報データベースとを設け、
利用者端末が商品のバーコード及び又はＩＣタグをスキャンすると該商品の商品コードが処理サーバーに送信され、処理サーバーは受信した商品コードを有する評価情報を評価データベースから読み出して利用者端末に送信し、続いて地域別店舗情報閲覧指示を処理サーバーが受信した場合には、処理サーバーは携帯電話会社通信手段から利用者端末の現在位置を取得し、取得した現在位置をもとに地域別店舗データベースを検索して利用者端末の現在位置の近傍にある店舗の前記ＰＯＳサーバーを特定し、前記ＰＯＳサーバーに接続された在庫情報データベースを前記商品コードで検索して前記商品の在庫状況を取得し、該在庫状況を利用者端末に送信して利用者端末に表示させることを特徴とした、商品評価情報配信方法。
【請求項１０】
商品に対する評価情報を配信する方法であって、
プログラムを実行する処理サーバーと、
前記処理サーバーに接続された、各商品に対する評価情報及びまたは前記商品に関連する商品に対する評価情報および該関連する商品の商品コードを格納する評価データベース及び地域別に店舗に関する情報を格納する地域別店舗データベースと、
バーコード及びまたはＩＣタグを読み取り可能な利用者端末と、
該利用者端末と処理サーバーを結ぶ通信網の中間にある携帯電話会社通信手段と、
公衆通信回線で結ばれた評価者端末と、
インターネットと接続可能な各店舗のＰＯＳサーバーと、
該ＰＯＳサーバーに接続された各店舗の在庫情報を格納する在庫情報データベースとを設け、
利用者端末が商品のバーコード及び又はＩＣタグをスキャンすると該商品の商品コードが処理サーバーに送信され、処理サーバーは受信した商品コード及び前記スキャンした商品と該商品に関連する商品の商品コードを有する評価情報を評価データベースから読み出して利用者端末に送信し、続いて地域別店舗情報閲覧指示を処理サーバーが受信した場合には、処理サーバーは携帯電話会社通信手段から利用者端末の現在位置を取得し、取得した現在位置をもとに地域別店舗データベースを検索して利用者端末の現在位置の近傍にある店舗の前記ＰＯＳサーバーを特定し、前記ＰＯＳサーバーに接続された在庫情報データベースを利用者端末で指定された前記関連する商品の商品コードで検索して前記利用者端末で指定された前記関連する商品の在庫状況を取得し、該在庫状況を利用者端末に送信して利用者端末に表示させることを特徴とした、商品評価情報配信方法。
【発明の詳細な説明】
【技術分野】
【０００１】
本発明は、小売店舗に陳列された商品に関する第三者による商品の評価をサービス利用者へ配信するための商品評価情報配信システム及び商品評価情報配信方法に係り、特にＰＯＳシステム（Ｐｏｉｎｔ  Ｏｆ  Ｓａｌｅｓ  ｓｙｓｔｅｍ）と連動して、利用者端末近傍の販売店の同一商品又は関連商品の販売価格及び在庫情報をサービス利用者に配信することができる商品評価情報配信システム及び商品評価情報配信方法に関する。
【背景技術】
【０００２】
従来技術による商品の評価を配信方法は、次の特許文献に記載された技術が知られている。
特許文献１には、これから娯楽サービスを利用するサービス利用者が所有する携帯端末と、既にサービス（娯楽施設）を利用したサービス利用者が評価した評価情報を格納する格納手段と、サービスの提供を受けたかどうかを判定する判定手段と、前記評価情報を管理する管理サーバーと、前記評価情報を閲覧した者に課金する課金手段とを備え、利用者が携帯端末を用いて管理サーバーにサービスを特定する情報を管理サーバーに送信したとき、管理サーバーが、前記特定したサービスに対する過去の評価情報を格納手段から読み出し、この読み出した評価情報をサービス利用者の携帯端末に表示させると共に課金するシステムが記載されている。【０００３】
また、特許文献２には、携帯端末と、商品の価格と該商品の取り扱い店舗に関する情報を格納したデータベースと、携帯端末からの入力情報に基づいてデータベースを検索する商品及び店舗を特定する手段とを備え、前記携帯端末からの入力情報に基づいて商品及び店舗をデータベースから検索し、特定された地域内で当該の商品を取り扱っている店舗と価格を携帯端末に表示させるシステムが開示されている。
【特許文献１】特開２００２−２３６７７８号公報
【特許文献２】特開２００５−２５６８４号公報
【発明の開示】
【発明が解決しようとする課題】
【０００４】
特許文献１に記載された技術は、娯楽施設のサービスを利用したかどうかを判定する判定手段を必要としているため、この技術を適用できる対象が映画館などの娯楽施設に限られ、小売店で販売している音楽ＣＤ、ＤＶＤ、映画ビデーテープ、書籍などには適用できないと言う不具合があった。【０００５】
また、特許文献２に記載されている技術によれば、このシステムの利用者は周囲の店舗で自分が購入しようとする商品の価格の比較を行うことができる。しかし、この技術は、システムを多くの消費者が利用した場合、一番低い価格の店へ消費者が殺到し、商品が売切れてしまうことがあるため、当該の商品の販売店に行かなければ、在庫が有るのか無いのかを利用者が知ることができないという不具合があった。【０００６】
また、従来技術のＰＯＳシステムでは利用者端末でスキャンした商品だけの評価情報、販売価格、在庫状況しか配信されず、スキャンした商品に関連する商品、例えばカーディガンをスキャンした場合、関連商品であるブラウスやスカートなどに関する情報を得ることができなかった。更に従来技術においては、商品の評価情報を提供した評価者が存在する場合であっても、評価者に対する対価が考慮されておらず、このために多くの評価者の協力を得ることが難しく、商品評価配信システムを構築することが困難であると言う不具合もあった。【０００７】
本発明の目的は、前述の従来技術による不具合を除去することであり、利用者が、商品に対する第三者による評価の配信を受けることができると共に、利用者の現時位置の周辺の店舗における、購買を希望する商品の価格と在庫情報とを知ることができる商品評価情報配信システム及び商品評価情報配信方法を提供することである。
【課題を解決するための手段】
【０００８】
前記目的を達成するために本発明による商品評価情報配信システムは、
店舗の位置情報を格納する店舗位置情報データベースと、
商品に対する評価情報を商品コードと共に格納する評価データベースと、
商品に対する評価情報を受信し、前記評価データベースに格納する処理部と、
利用者端末から任意の商品の商品コード及び当該利用者端末の位置情報を受信する処理部と、
前記受信した利用者端末の位置情報に基づき、当該利用者端末の位置から所定範囲内の位置情報をもつ店舗を前記店舗位置情報データベースから検索する処理部と、
前記検索された店舗に備えられたＰＯＳシステムと通信し、当該店舗における前記受信した商品コードの商品の在庫情報を取得する処理部と、
前記受信した商品コードの商品に対する評価情報を前記評価データベースから取得する処理部と、
前記検索した店舗の位置情報と、当該店舗における前記商品の在庫情報と、前記商品に対する評価情報とを前記利用者端末に送信する処理部とを備えるコンピュータから構成されることを第１の特徴とする。【０００９】
また本発明は、前記特徴の商品評価情報配信システムは、前記コンピュータが、前記任意の商品に関連する他商品の評価情報及び商品コードを評価データベースに格納し、前記評価データベースから前記関連する他商品の評価情報を検索し、前記関連する他商品の在庫情報を利用者端末に送信する処理部を備えることを第２の特徴とし、前記何れかの特徴の商品評価情報配信システムにおいて、前記評価情報を提供した評価者に対する評価を格納した評価者データベースを設け、前記コンピュータが、前記評価データベースから評価情報を取得した商品を評価した評価者に対するポイントを前記評価者データベースに格納する処理部を備えることを第３の特徴とする。【００１０】
更に本発明は、店舗の位置情報を格納する店舗位置情報データベースと、商品に対する評価情報を商品コードと共に格納する評価データベースと、前記店舗位置情報データベース及び評価データベースをアクセスするコンピュータとを備え、商品の評価情報を配信するシステムの商品評価情報配信方法であって、
前記コンピュータが、
商品に対する評価情報を受信し、前記評価データベースに格納する工程と、
利用者端末から任意の商品の商品コード及び当該利用者端末の位置情報を受信する工程と、
前記受信した利用者端末の位置情報に基づき、当該利用者端末の位置から所定範囲内の位置情報をもつ店舗を前記店舗位置情報データベースから検索する工程と、
前記検索された店舗に備えられたＰＯＳシステムと通信し、当該店舗における前記受信した商品コードの商品の在庫情報を取得する工程と、
前記受信した商品コードの商品に対する評価情報を前記評価データベースから取得する工程と、
前記検索した店舗の位置情報と、当該店舗における前記商品の在庫情報と、前記商品に対する評価情報とを前記利用者端末に送信する工程とを実行することを第４の特徴とする。【００１１】
また本発明は、前記商品評価情報配信方法であって、前記コンピュータが、前記任意の商品に関連する他商品の評価情報及び商品コードを評価データベースに格納する工程と、前記評価データベースから前記関連する他商品の評価情報を検索する工程と、前記関連する他商品の在庫情報を利用者端末に送信する工程とを実行することを第５の特徴とし、前記何れかの商品評価情報配信方法において、前記評価情報を提供した評価者に対する評価を格納した評価者データベースを設け、前記コンピュータが、前記評価データベースから評価情報を取得した商品を評価した評価者に対するポイントを前記評価者データベースに格納する工程を実行することを第６の特徴とする。
【発明の効果】
【００１２】
本発明による商品評価情報配信システム及び商品評価情報配信方法によれば、商品の評価情報を格納する評価ＤＢを備え、該評価ＤＢから評価情報を利用者端末に配信するため、商品に対する評価を利用者が参照して商品購入の参考にすることができる。また本発明によれば、利用者端末の位置から所定範囲内の位置情報をもつ店舗を前記店舗位置情報ＤＢから検索し、当該店舗における当該商品の在庫情報を利用者端末に配信するため、利用者は所定範囲内の店舗の商品在庫情報を知ることができる。また、本発明によれば、前記評価情報を基に商品が購入された場合、当該評価者にポイントを対価として与えることができる。
【図面の簡単な説明】
【００１３】
【図１】本発明のシステムの全体構成図である。
【図２】評価作成プログラムのフローチャートである。
【図３】評価閲覧プログラムのフローチャートである。
【図４】評価閲覧プログラムのフローチャートの続きである。
【図５】所在地情報閲覧プログラムのフローチャートである。
【図６】所在地情報閲覧プログラムのフローチャートの続きである。
【図７】評価データベースのデータ構成図である。
【図８】ＪＡＮコードデータベースのデータ構成図である。
【図９】評価者データベースのデータ構成図である。
【図１０】会員データベースのデータ構成図である。
【図１１】地域別店舗データベースのデータ構成図である。
【図１２】在庫情報データベースのデータ構成図である。
【符号の説明】
【００１４】
１０１：処理サーバー、１０２：利用者端末、１０３：公衆回線網、１０４：評価者端末、１０５：販売店におけるＰＯＳサーバー、１０６：ＰＯＳ端末、１０７：評価ＤＢ、１０８：ＪＡＮコードＤＢ、１０９：評価者ＤＢ、１１０：会員ＤＢ、１１１：地域別店舗ＤＢ、１１２：在庫情報ＤＢ、１２０：携帯電話会社通信手段、１２１：商品、１２２：無線回線、１２３：商品コードを印刷したシール又は包装、又は記憶したＩＣタグ。
【発明を実施するための最良の形態】
【００１５】
以下、本発明による一実施形態による商品評価情報配信方法を適用した商品評価情報配信システムを図面を参照して詳細に説明する。
図１は、本発明のシステムの全体構成図である。図２は、評価作成プログラムのフローチャートである。図３は、評価閲覧プログラムのフローチャートである。図４は、評価閲覧プログラムのフローチャートの続きである。図５は、所在地情報閲覧プログラムのフローチャートである。図６は、所在地情報閲覧プログラムのフローチャートの続きである。図７は、評価データベースのデータ構成図である。図８は、ＪＡＮコードデータベースのデータ構成図である。図９は、評価者データベースのデータ構成図である。図１０は、会員データベースのデータ構成図である。図１１は、地域別店舗データベースのデータ構成図である。図１２は、在庫情報データベースのデータ構成図である。【００１６】
＜用語の説明＞
まず、本明細書において使用する用語について説明する。
ＪＡＮ(Ｊａｐａｎｅｓｅ  Ａｒｔｉｃｌｅ  Ｎｕｍｂｅｒ)コードとは、バーコードなどに用いられる数字を羅列したコードであり、その中には国を表す部分と、メーカーを表す部分と、商品を表す部分などがあり、商品ごとに一意に割り振られている。
ＧＴＩＮ（Ｇｌｏｂａｌ  Ｔｒａｄｅ  Ｉｔｅｍ  Ｎｕｍｂｅｒ）コードとは、ＪＡＮコードと同様な商品コードの一種であり、北米地域で使用されているＵＣＣコードとヨーロッパで使用されているＥＡＮコードとを統合するものとして考案されたものである
ｕｃｏｄｅとは、ＪＡＮコードと同様な商品コードの一種であり、物流ロット単位に一意なコードが割り振られるものである。従ってこのコードを採用した場合、当該商品の最新の商品を特定することもできる。
商品コードとは、商品又は当該商品の物流ロットを特定するコードのことであり、例えば前記ＪＡＮコード、ＧＴＩＮコード、ｕｃｏｄｅを含むが、これらに限られるものではない。【００１７】
ＰＯＳシステムとは、Ｐｏｉｎｔ  Ｏｆ  Ｓａｌｅｓシステムの略であり、販売時点で商品毎の売上高を管理する会計システムである。
携帯電話会社通信手段とは、携帯電話（利用者端末）の送信者と受信者の中間にあって、少なくとも利用者端末の直近の通信基地局を特定するコード又は利用者端末が受信したＧＰＳコード（利用者端末位置情報）を処理サーバーに送信する機能を持っている通信機器である。
またアファリエイト（Affiliate）とは、一般に「提携」、「提携する」という意味であり、本発明で述べるアファリエイトポイントとは、利用者（顧客）が評価情報を基に商品を購入した際に評価者に対して与えられる対価を与えるためのポイントである。 【００１８】
＜構成の説明＞
以下、本実施形態の一実施形態によるＰＯＳシステムと連動した商品評価配信システムについて、その全体構成を図１を用いて説明する。なお、実施の形態がこれに限られるものではない。また、本実施形態ではＪＡＮコードを用いているが、他の商品コードであっても良い。【００１９】
本発明による商品評価配信システムは、後述する各種プログラムを実行する処理サーバー１０１と、携帯電話基地局又はＧＰＳ（Ｇｌｏｂａｌ  Ｐｏｓｉｔｉｏｎｉｎｇ  Ｓｙｓｔｅｍｓ）コードで予め地域分けをした該地域を表す地域コード及びＰＯＳサーバーのＩＰアドレスなどを格納する地域別店舗ＤＢ１１１と、ＰＯＳ端末１０６及びＪＡＮコード毎の店別在庫数量／販売価格を格納する在庫情報ＤＢ１１２が接続されたＰＯＳサーバー１０５と、前記処理サーバー１０１とＰＯＳサーバー１０５と評価者端末１０４を接続する通信回線網１０３と、商品１２１のバーコード１２３を読み取る利用者端末（携帯電話）１０２とから構成される。【００２０】
本実施形態による商品評価配信システムの各種プログラムを実行する処理サーバー１０１には、ＪＡＮコード毎にその商品の評価などのデータを格納する評価データベース１０７（データベースを以下ＤＢと略す）と、ＪＡＮコード／メーカー名／商品名などを格納するＪＡＮコードＤＢ１０８と、評価者に関する情報を格納する評価者ＤＢ１０９と、会員に関する情報を格納する会員ＤＢ１１０と、携帯電話基地局又はＧＰＳ（Ｇｌｏｂａｌ  Ｐｏｓｉｔｉｏｎｉｎｇ  Ｓｙｓｔｅｍｓ）コードで予め地域分けをした該地域を表す地域コード及びＰＯＳサーバーのＩＰアドレスなどを格納する地域別店舗ＤＢ１１１とが接続されている。前記ＰＯＳサーバー１０５は図中では１台しか記載されていないが、多数接続されていても良い。【００２１】
処理サーバー１０１には更に、公衆回線網１０３を介して評価者の評価者端末１０４と、公衆回線網１０３を介して携帯電話会社の通信手段１２０と、該通信手段１２０と無線回線網１２２で接続される利用者端末１０２がそれぞれ接続されている。【００２２】
利用者端末１０２には、バーコード読み取り機能及び又はＩＣタグ読み取り機能と、ＧＰＳを利用する場合にはＧＰＳコード読み取り機能を有する。また、処理サーバー１０１及び携帯電話会社通信手段とのデータ通信に必要なアプリケーションが組み込まれている。さらに、利用者端末１０２にはインターネットに接続できる環境が整えられている。
店舗における商品１２１には商品を特定するＪＡＮコードが記載又は記録されたバーコード又はＩＣタグ１２３が貼付されている。【００２３】
＜データベース構造の説明＞
以下、各データベースの実施例について説明する。本実施形態による評価ＤＢ１０７は、図７に示すように、例えば、「ＪＡＮコード」と、当該商品のメーカー名である「メーカー名」と、当該商品の商品名である「商品名」と、評価を特定する「評価ＩＤ」と、評価を行った者を一意に表す「評価者コード」と、評価のタイトルである「タイトル」と、具体的な評価内容である「評価」と、評価を点数で表した「評点」と、評価を更新した日を表す「更新日」と、評価の更新予定を表す「更新予定日」と、当該の評価が獲得したポイントである「ポイント」を格納している。尚、本実施形態においては、前記レコードの内「ＪＡＮコード」／「メーカー名」／「商品名」を合わせた部分をｋｅｙ部と呼ぶ。【００２４】
前記評価ＤＢ１０７の各項目の具体例は、図７に示すように、例えば、「ＪＡＮコード」が「４５６８８６２１１６１７９」、「メーカー名」が「○△レコード」、「商品名」が「ＡＢＣ」、「評価ＩＤ」が「１０９５２１−００１」、「評価者コード」が「１０９５２１」、「タイトル」が「新譜ＡＢＣ」、「評価」が「ドライブに最適！」、「評点」が「５」、「更新日」が「０５０５１６」、「更新予定日」が「０５０６１５」、「ポイント」が「２００」である。【００２５】
前記ＪＡＮコードＤＢ１０８は、図８に示すように、例えば、「ＪＡＮコード」と、その商品を作ったメーカーを表す「メーカー名」と、当該の商品を表す「商品名」の各項目とから成る。
ＪＡＮコードＤＢ１０８の各項目の具体例は、図８に示すように、例えば、「ＪＡＮコード」が「４５６８８６２１１６１７９」、「メーカー名」が「○△レコード」、「商品名」が「ＡＢＣ」である。【００２６】
前記評価者ＤＢ１０９は、図９に示すように、例えば、評価者を一意に表す「評価者コード」と、評価者の氏名である「氏名」と、評価者の住所である「住所」と、評価者の電話番号を示す「電話番号」と、評価者のハンドルネームを表す「ハンドルネーム」と、評価者のメールアドレスを表す「メールアドレス」と、振込先銀行の「銀行名」、「支店名」、「口座種別」、「口座番号」の各項目から成る。【００２７】
前記評価者ＤＢ１０９の各項目の具体例は、図９に示すように、例えば、「評価者コード」が「１０９５２１」、「氏名」が「山田太郎」、「住所」が「東京都渋谷区渋谷＊＊＊」、「電話番号」が「０３−５９８２−＊＊＊＊」、「ハンドルネーム」が「タロー」、「メールアドレス」が「ｔａｒｏ＠ｈｙｏｋａ.＊ｃｏｍ」、「銀行名」が「○×銀行」、「支店名」が「渋谷」、「口座種別」が「普通」、「口座番号」が「８４０７＊＊＊＊」である。【００２８】
前記会員ＤＢ１１０は、図１０に示すように、例えば、会員を一意に表す「会員番号」と、会員の氏名を表す「氏名」と、会員の住所を表す「住所」と、会員の電話番号を表す「電話番号」と、会員のメールアドレスを表す「メールアドレス」と、ログインに必要な「パスワード」と、購読した評価の累計ポイントを表す「利用ポイント」の各項目から成る。【００２９】
会員ＤＢ１１０の各項目の具体例は、図１０に示すように、例えば、「会員番号」が「０８９５２」、「氏名」が「山川＊＊」、「住所」が「東京都品川区北品川＊＊＊」、「電話番号」が「０３−８５３７−＊＊＊＊」、「メールアドレス」が「ｊｉｒｏ＠ｈｙｏｋａ.＊ｃｏｍ」、「パスワード」が「ｊｉｒｏ７７」、「利用ポイント」が「８０」である。【００３０】
地域別店舗ＤＢ１１１は、図１１に示すように、例えば、携帯電話基地局に一意的にふられた番号である「地域コード」と、各店舗のＰＯＳサーバーのＩＰアドレスを表す「ＩＰアドレス」と、そのＰＯＳサーバーを有する店舗を示す「店舗名」と、前記店舗の住所を表す「住所」と、各店舗の電話番号を表す「電話番号」の各項目から成る。【００３１】
地域別店舗ＤＢ１１１の各項目の具体例は、図１１に示すように、例えば、「地域コード」が「００１−５０１−５０３」、「ＩＰアドレス」が「１６４．２８．５２．＊＊＊」、「店舗名」が「○×レコード渋谷店」、「住所」が「東京都渋谷区南平台＊＊＊」、「電話番号」が「０３−５９５０−＊＊＊＊」である。【００３２】
前記在庫情報ＤＢ１１２は、図１２に示すように、例えば、「ＪＡＮコード」と、サービス利用者の現在位置の近傍にある所定範囲内の店舗名を表す「店舗名」と、当該の店舗における当該の商品の在庫数量を表す「在庫数量」と、当該の店舗における販売価格を表す「販売価格」の各項目から成る。尚、前記「所定範囲」とは、本明細書においては、利用者が後述する商品の評価情報の検索を行った地点を起点として、徒歩で容易に到達することができる範囲、例えば徒歩で数分以内（０分〜５分＝距離換算で０ｍ〜４００ｍ）の距離内にある近傍の店舗や、同一敷地内のショッピングモール内にある近傍の店舗を意味し、郊外の店舗における自動車を移動手段とする際には自動車で１０分〜１５分以内の距離であっても良い。【００３３】
地域別店舗ＤＢ１１１の各項目の具体例は、図１２に示すように、例えば、「ＪＡＮコード」が「４５６８８６２１１６１７９」、「店舗名」が「○×レコード渋谷店」、「在庫数量」が「１」、「販売価格」が「２８００」である。【００３４】
＜プログラムの説明＞
＜評価作成プログラム＞
このプログラムは、商品に対する評価を作成し、評価ＤＢ１０７に格納するものであって、処理サーバー１０１において実行される。
図２を用いて評価作成プログラムの動作（処理手順）を説明する。
この評価作成プログラムは、まず評価者端末１０４が公衆回線網１０３を介して評価を作成する商品のレコードが存在するかどうか評価ＤＢ１０７内を検索するステップ２０１と、該ステップ２０１による検索の結果、評価ＤＢ１０７に評価を作成しようとする商品のレコードが検索されたか否かを判定するステップ２０２と、該ステップ２０２により該当のレコードが有ると判定したとき、そのレコードからｋｅｙ部をコピーし、さらに評価者コード，タイトル，評価記述，評点，更新日，更新予定などを付加して新規レコード（これらを評価情報と呼ぶ）とし、評価ＤＢ１０７に格納するステップ２０３と、前記ステップ２０２においてレコードが無いと判定したとき、評価を作成する商品をＪＡＮコードをキーとしてＪＡＮコードＤＢ１０８を検索するステップ２０４と、該ステップ２０４による検索の結果、ＪＡＮコードＤＢ１０８に検索した商品があるか否かを判定し、ないと判定したときにステップ２０１に戻るステップ２０５と、該ステップ２０５において検索した商品が有ると判定したとき、ＪＡＮコード／メーカー名／商品名に評価者コード／タイトル／評価記述／評点／更新日／更新予定などを付加して新規レコードとし、評価ＤＢ１０７に格納するステップ２０６とを順次処理サーバー１０１が実行する様に構成されている。尚、上記の商品の検索／評価者コード／タイトル／評価記述／評点／更新日／更新予定の入力は、公衆回線網１０３を介して評価者端末１０４から行う。各評価には、関連する商品のＪＡＮコードと共に該商品の評価を記載しても良い。【００３５】
＜評価閲覧プログラム＞
このプログラムは、利用者に商品に対する評価を閲覧させるものであって、処理サーバー１０１において実行される。
図３を用いて評価閲覧プログラムの動作（処理手順）を説明する。
本評価閲覧プログラムは、利用者が利用者端末１０２から処理サーバー１０１にアクセスしたことを契機として、会員番号とパスワードの認証を会員ＤＢ１１０を検索するステップ３０１と、この検索によって認証できたかどうかを判定するステップ３０２と、該ステップ３０２により認証できると判定したとき、評価を利用者端末１０２に表示する順序を利用者端末１０２から受信するステップ３０３と、利用者端末１０２でスキャンした商品のＪＡＮコードを利用者端末１０２から受信するステップ３０４と、評価ＤＢ１０７を受信したＪＡＮコードをキーとして検索するステップ３０５と、該ステップ３０５により検索したＪＡＮコードが商品に関する評価が格納されているか否かを判定し、評価が格納されていないと判定したときステップ３０４に戻るステップ３０６と、該ステップ３０６において評価が格納されていると判定したときには前記ステップ３０３で指定された順序で評価者／評価ＩＤ／タイトルなどの一覧を利用者端末１０２に送信するステップ３０７とを有する。尚、前記ステップ３０２により認証できないと判定したときはステップ３０１に戻る。【００３６】
次いで、図４を用いて評価閲覧プログラムの動作（処理手順）を説明する。
本評価閲覧プログラムは、利用者端末１０２から購入する商品の評価情報に対応した評価ＩＤを受信するステップ４０１と、この受信した評価ＩＤをキーとして評価ＤＢ１０７を検索し、該当する評価を評価ＤＢ１０７から読み出して利用者端末１０２に送信するステップ４０２と、評価ＤＢ１０７の選択されたレコードのポイント欄にポイントを加算し、評価ＤＢ１０７に格納するステップ４０３と、会員ＤＢ１１０の当該会員のレコードの利用ポイント欄にポイントを追加して会員ＤＢに格納するステップ４０４と、利用者端末１０２から評価閲覧の終了指示を受信したか否かを判定し、受信している判定したときに本処理は処理を終了するステップ４０５と、該ステップ４０５において受信していないと判定したとき、商品の所在地情報の閲覧指示を受信したかどうか判定するステップ４０６と、該ステップ４０６において商品の所在地情報の閲覧指示を受信していないと判定したとき、評価タイトル一覧の表示指示を受信したかどうか判定し、受信していないと判定したときにステップ４０５に戻り、受信していると判定したときに図３のステップ３０７に移行するステップ４０９と、前記ステップ４０６において商品の所在地情報の閲覧指示を受信したと判定したとき、商品の所在地情報閲覧プログラムを起動するステップ４０７と、商品の所在地情報閲覧プログラムに利用者が利用者端末１０２でスキャンした商品のＪＡＮコードを送信し、本プログラムである評価閲覧プログラムを終了させるステップ４０８とを有する。
尚、本実施形態における商品の所在地情報とは、利用者の現在位置の近傍販売店で評価を閲覧した商品を販売して店舗の所在地を意味し、在庫情報とは、当該店舗に当該商品が在庫されているか否かを意味するものである。【００３７】
尚、本評価閲覧プログラムは、他の例として、評価に記載されている関連商品のＪＡＮコードにリンクを張り、そのリンクをクリックすると該関連商品のＪＡＮコードを処理サーバー１０１送信するように構成し、該関連商品のＪＡＮコードを処理サーバー１０１が受信したか否かをステップ４０６で判定し、受信した場合には商品の所在地情報閲覧プログラムをステップ４０７により起動し、受信したＪＡＮコードが付された商品の所在地情報を所在地情報閲覧プログラムのステップ４０８に送信し、該関連商品のＪＡＮコードを受信していなければ、ステップ４０１に戻るようにしても良い。また本実施形態においては、前記ステップ４０８において、ＪＡＮコードに加え、データが読み取られた読み取り商品と関連商品との組み合わせを画像情報として提供することによって、商品に対する購買意欲を向上させるようにしても良い。【００３８】
＜商品の所在地情報閲覧プログラム＞
このプログラムは、利用者に利用者が選択した商品の所在地情報を閲覧させるものであって、処理サーバーにおいて実行される。
図５を用いて商品の所在地情報閲覧プログラムの動作（処理手順）を説明する。
本所在地情報閲覧プログラムは、評価閲覧プログラムから利用者が利用者端末１０２でスキャンした商品のＪＡＮコードを受け取るステップ５０１と、利用者端末１０２の位置コード（利用者端末位置情報）及び又はＧＰＳ機能によって得られた位置情報（利用者端末位置情報）を携帯電話会社通信手段１２０から公衆回線網１０３を通して処理サーバー１０１が受信するステップ５０２と、前記位置コード（利用者端末位置情報）等をキーとして地域別店舗ＤＢ１１１を検索し、店舗の位置を示す店舗位置情報を基に近傍の店舗を特定するステップ５０３と、特定した店舗のＰＯＳサーバー１０５のＩＰアドレスを地域別店舗ＤＢ１１１を検索して取得するステップ５０４と、該取得した店舗のＰＯＳサーバー１０５に接続するステップステップ５０５と、前記ＰＯＳサーバー１０５に接続された在庫情報ＤＢ１１２を利用者が利用者端末１０２でスキャンした商品のＪＡＮコードで検索し、その商品の在庫数量と販売価格を取得し、前記図３のステップ３０７に移行するステップ５０６とを順次実行する様に構成されている。尚、前記ステップ５０６における商品の在庫数量と販売価格の取得は、前記特定された店舗全てに対して行う。【００３９】
尚、ＧＰＳを利用する場合、前記ステップ５０４による近傍の店舗のＰＯＳサーバーＩＰアドレスの取得は、地域別店舗ＤＢ１１１内に店舗の緯度及び経度（店舗位置情報）を格納しておき、携帯電話会社通信手段１２０から受信したＧＰＳによる利用者端末１０２の現在位置の緯度及び経度（利用者端末位置情報）から指定した範囲内にある店舗を、地域別店舗ＤＢ１１１内を緯度及び経度（店舗位置情報）をキーとして検索して特定し、特定された各店舗のＰＯＳサーバー１０５のＩＰアドレスを、地域別店舗ＤＢ１１１から取得するように構成しても良い。
また、携帯電話会社によっては利用者端末１０２からのＧＰＳ情報によって、利用者端末１０２の現在位置から指定された距離内の、予め登録された店舗の店舗名や住所などを配信するサービスを行っていることがあるため、そのサービスを利用して利用者端末１０２の現在位置から指定された距離内にある店舗を特定し、特定された各店舗のＰＯＳサーバー１０５のＩＰアドレスを、地域別店舗ＤＢ１１１を検索して取得するように構成しても良い。【００４０】
続いて、図６を用いて商品の所在地情報閲覧プログラムの動作（処理手順）を説明する。
本プログラムは、前記取得された在庫数量と販売価格をＪＡＮコード，メーカー名，商品名毎に、店舗名，店舗住所，店舗電話番号，在庫数量，販売価格を一覧表示し、利用者端末１０２に送信するステップ６０１と、次に会員ＤＢにおける当該会員のレコードの利用ポイントにポイントを追加課金するステップ６０２と、前記特定された全ての店舗の在庫や販売価格を調査したかどうかを判定するステップ６０３と、該ステップ６０３において全ての店舗について調査していないと判定したとき、図５のステップ５０４に戻り、まだ前記特定され全ての店舗について調査し終わっていると判定したとき、処理を終了するステップ６０３とを有する。【００４１】
＜全体動作の説明＞
次に本発明による商品評価情報配信システムの全体動作を主に図１を参照して説明する。下記動作説明は、図１に示した商品評価情報配信システムにおいて、図２にて説明した評価作成プログラムを用い、評価者の作成した評価情報が評価者の評価者端末１０４から公衆回線網１０３を介して処理サーバー１０１の評価ＤＢ１０７に格納した状態において、利用者が販売店において商品１２１に貼付されたバーコードラベル及び又はＩＣタグを利用者端末１０２でスキャンし、当該スキャンによって商品の商品コードが利用者端末により読み取られた以降の動作である。【００４２】
尚、本実施形態の対象となる商品は、商品コードがバーコードに印刷されて貼付されるかＩＣタグなどに記録されたものに限られるものではなく、例えば映画やコンサートや寄席のような実演でも、商品コードがチケットにバーコードにより印刷又は貼付されるかＩＣタグなどに記録されて貼付されていても良い。【００４３】
本実施形態による商品評価情報配信システムは、前記利用者端末１０２によってスキャンされた商品コードを利用者端末１０２が処理サーバー１０１に送信し、これを受信した処理サーバー１０１が、前述の評価閲覧プログラム（図３）を用い、会員認証（図３のステップ３０１〜３０２）を行った後、前記スキャンされたＪＡＮコードを受信（同ステップ３０３）し、受信したＪＡＮコードをキーとして評価ＤＢ１０７を検索（同ステップ３０４）し、当該の商品に関する評価情報を読み出し（同ステップ３０５〜３０６）、タイトル一覧を利用者が指定した順序、例えばアクセスの多い順などで利用者端末１０２に送信（同ステップ３０７）し、これを利用者端末１０２が受信（図４のステップ４０１）する様に動作する。また、本システムは、前述の図４に示した商品の所在地情報閲覧プログラムによって、利用者端末１０２からの利用者端末位置情報を基に、利用者端末１０２近傍の店舗のＰＯＳサーバーのＩＰアドレスを地域別店舗ＤＢ１１１を検索して特定し（図５のステップ５０４）、この近傍の店舗の在庫情報ＤＢ１１２から検索した商品の在庫情報及び販売価格を取得（同ステップ５０６）し、前記在庫情報及び販売価格等を利用者端末１０２に送信（ステップ６０１）する動作を行う。【００４４】
ここで利用者は、送信された評価情報が複数存在する場合、該複数の評価情報の中から任意の評価情報を選ぶことができ、例えば、人気の高い評価者の評価情報を選ぶことや、自分の価値観に会った評価者の評価情報を選ぶこともできる。このように複数の評価情報から任意の評価情報が選択された場合、本システムは、利用者端末１０２が選択された評価情報の評価ＩＤを処理サーバー１０１に送信（同ステップ４０２）する。【００４５】
この評価ＩＤを受信した処理サーバー１０１は、受信した評価ＩＤの評価を評価ＤＢ１０７から読み出して利用者端末１０２に送信すると共に、評価ＤＢ１０７の当該評価のポイント欄にポイントを追加（図４のステップ４０３）する。このポイントは例えば毎月１回集計され、獲得ポイント数に基づいて評価者に対する謝金情報を生成し、管理者によって謝金が支払われる。【００４６】
尚、本発明においては、前記評価者ＤＢ１０９が評価者に対する評価者情報を格納する様に構成しても良い。例えば、本システムは、評価情報を参考にして商品が購入された場合、この購入情報を入力したＰＯＳ端末１０６が、この評価情報を提供した評価者に対するファイリエイトポイント（利用者が評価情報を基に商品を購入した際に評価者に対して与えられる対価を与えるためのポイント）を評価者データベース１０９に格納し、店舗管理者により評価者の評価情報に対する対価を与えることができる。従って本システムは、評価者に対価を与えることによって、評価者数の増大を期待することができる。【００４７】
前記店舗における商品購入の確認は、商品（包装用箱等も含む）に予め商品コードを記憶した端末ＩＣチップを設けておき、当該商品が購入されたとき、当該商品の評価情報が提供されている事と当該商品が店舗検索により検索された店舗である事と購入された商品が購入された事を条件として、評価者にアファリエイトポイントを提供することによって行われる。尚、当該商品について複数の評価者による商品評価情報がダウンロードされた場合は、アファリエイトポイントを等分又は所定の分配方式に従って分配しても良い。【００４８】
このアファリエイトポイント提供方式は、特に衣類やインテリアのコーディネート情報、食品を組み合わせた調理方法の紹介、電子機器の選択（例えばオーディオ機器におけるアンプとスピーカの組み合わせ、パーソナルコンピュータにおける本体と周辺器の組み合わせ）等の関連商品の選択が重要な商品の販売に有効である。このアファリエイトポイントの配分は、前記利用者がデータを読み取った商品に対するポイント値に対して、読取り商品に関連する関連商品に対するポイント値を高く設定しても良い。これは、既に利用者が購入を検討している商品以外の関連商品を利用者に提供し、利用者に新たな商品の購買意欲を向上させたと考えられるためである。
また当該アファリエイトポイント提供方式は、評価情報に対する対価の支払いを行われるため、多数の評価情報を収集することや、多数の評価情報の収集によって評価情報の質も向上することが期待できる。【００４９】
本システムは、評価情報を購入した利用者に対して、評価閲覧プログラムが会員ＤＢの当該会員のレコードの利用ポイントに追加課金を行う。この利用ポイントは、例えば毎月１回集計され、ポイント高に応じて利用料が利用者に請求される。この請求は、例えば、利用者端末１０２の画面に随時広告を掲載し、この広告料収入によって利用者には課金されないにようにしても良い。【００５０】
以上述べた如く本システムによれば、評価情報を読み終わった利用者は、さらに自分が現在いる位置の近傍にある店舗（販売店）における商品の販売価格と在庫とを確認することができる。販売価格と在庫の確認は、店舗のＰＯＳサーバー１０５に接続された在庫情報ＤＢ１１２を当該商品のＪＡＮコードで検索することにより行う。この在庫情報を自然に利用者が知ることができるため、利用者が店舗に出向いた際に既に商品が売り切れていることを減少することができる。
また、前述のプログラムの説明では、評価情報を読み終わった利用者だけ店舗毎の販売価格と在庫を確認する例を説明したが、図３のステップ３０１における会員番号認証に続いて図４のステップ４０６に移行することによって、利用者が評価情報を読まずに店舗毎の販売価格と在庫を確認できるようにしても良い。【００５１】
また、前記関連商品を利用者端末１０２に表示する際、関連商品の評価情報とＪＡＮコードを併記して表示し、該ＪＡＮコードをクリックすることによって関連商品を在庫する近傍の店舗における在庫情報及び価格情報を表示する様に構成しても良い。【００５２】
本発明は、請求の範囲に記載した内容に加え、次の形態としても表すことができる。
［形態０１］
商品に対する評価情報を入力するための評価者端末と、
店舗における商品の在庫情報を格納する在庫情報データベースと接続されたＰＯＳサーバーと、
店舗位置情報を格納する地域別店舗データベースと、
バーコード及び又はＩＣタグから商品コードを読み取ると共に利用者端末位置情報を送信する利用者端末と、
商品に対する評価情報を商品コードと共に格納する評価データベースと接続された処理サーバーと、
前記評価者端末とＰＯＳサーバーと地域別店舗データベースと利用者端末と処理サーバーとを接続する通信回線網とを備え、商品に対する評価情報を配信する商品評価配信システムであって、
前記処理サーバーが、
商品のバーコード及び又はＩＣタグから読み取った商品コード並びに利用者端末位置情報を利用者端末から受信する第１機能と、
該第１機能により受信した商品コードに対応する評価情報を評価データベースから検索する第２機能と、
前記第１機能により受信した利用者端末位置情報を基に地域別店舗データベースから利用者端末の近傍にある店舗の店舗位置情報を検索する第３機能と、
該第３機能により検索した店舗位置情報に対応する店舗のＰＯＳサーバーに接続された在庫情報データベースから前記第１機能で受信した商品コードに対応する商品の在庫情報を検索する第４機能と、
前記第２機能により検索した評価情報と前記第３機能により検索した店舗位置情報と前記第４機能で検索した在庫情報とを、前記第１機能において処理サーバーに商品コード並びに利用者端末位置情報を発信した利用者端末に送信する第５機能とを備えることを特徴とする商品評価情報配信システム。【００５３】
［形態２］
前記評価データベースが、商品に関連する他商品の評価情報及び商品コードを格納し、
前記処理サーバーが、
前記第２機能において、前記評価データベースから前記関連する他商品の評価情報を利用者端末から検索し、
前記第５機能において、前記関連する他商品の在庫情報を利用者端末に送信することを特徴とする形態１記載の商品評価情報配信システム。
［形態３］
前記処理サーバーが、評価者端末の評価者に対する評価者情報を格納する評価者データベースに接続され、
前記ＰＯＳサーバーが、前記第５機能により送信した評価情報に対応する商品が購入されたことを入力されたとき、該評価情報を提供した評価者に対するポイントを前記評価者データベースに格納することを特徴とする形態１又は２記載の商品評価情報配信システム。【００５４】
［形態３］
商品コードが、ＪＡＮコード又はＧＴＩＮコード又はｕｃｏｄｅの何れかであることを特徴とする形態１の又は２又は３記載商品評価情報配信システム。【００５５】
［形態４］
商品に対する評価情報を入力するための評価者端末と、
店舗における商品の在庫情報を格納する在庫情報データベースと接続されたＰＯＳサーバーと、
店舗位置情報を格納する地域別店舗データベースと、
バーコード及び又はＩＣタグから商品コードを読み取ると共に利用者端末位置情報を送信する利用者端末と、
商品に対する評価情報を商品コードと共に格納する評価データベースと接続された処理サーバーと、
前記評価者端末とＰＯＳサーバーと地域別店舗データベースと利用者端末と処理サーバーとを接続する通信回線網とを備え、商品に対する評価情報を配信する商品評価配信システムの商品評価配信方法であって、
前記処理サーバーが、
商品のバーコード及び又はＩＣタグから読み取った商品コード並びに利用者端末位置情報を利用者端末から受信する第１工程と、
該第１工程により受信した商品コードに対応する評価情報を評価データベースから検索する第２工程と、
前記第１工程により受信した利用者端末位置情報を基に地域別店舗データベースから利用者端末の近傍にある店舗の店舗位置情報を検索する第３工程と、
該第３工程により検索した店舗位置情報に対応する店舗のＰＯＳサーバーに接続された在庫情報データベースから前記第１工程で受信した商品コードに対応する商品の在庫情報を検索する第４工程と、
前記第２工程により検索した評価情報と前記第３工程により検索した店舗位置情報と前記第４工程で検索した在庫情報とを、前記第１工程において処理サーバーに商品コード並びに利用者端末位置情報を発信した利用者端末に送信する第５工程とを実行することを特徴とする商品評価情報配信方法。【００５６】
［形態５］
前記評価データベースが商品に関連する他商品の評価情報及び商品コードを格納する商品評価配信システムの商品評価配信方法であって、
前記処理サーバーが、
前記第２工程において、前記評価データベースから前記関連する他商品の評価情報を利用者端末から検索し、
前記第５工程において、前記関連する他商品の在庫情報を利用者端末に送信することを特徴とする形態４記載の商品評価情報配信方法。【００５７】
［形態６］
前記処理サーバーが評価者端末の評価者に対する評価者情報を格納する評価者データベースに接続された商品評価配信システムであって、
前記ＰＯＳサーバーが、前記第５工程により送信した評価情報に対応する商品が購入されたことを入力されたとき、該評価情報を提供した評価者に対するポイントを前記評価者データベースに格納することを特徴とする形態４又は５記載の商品評価情報配信方法。【００５８】
［形態７］
商品コードが、ＪＡＮコード又はＧＴＩＮコード又はｕｃｏｄｅの何れかであることを特徴とする形態４又は５又は６記載商品評価情報配信方法。【００５９】
以上述べたように本発明は、各商品に対する評価を格納した評価ＤＢ１０７から利用者の希望に応じた評価を利用者端末に送信するため、利用者が各商品に対する評価者の評価を購読することができ、さらに携帯電話会社通信手段１２０又は利用者端末１０２から取得した利用者端末１０２の現在の利用者端末位置情報をもとに利用者端末１０２の近傍にある販売店を特定し、該販売店の当該商品の販売価格と在庫を該販売店のＰＯＳサーバー１０５に接続された在庫情報ＤＢ１１２を検索するために、利用者が現在いる位置の近傍の販売店での当該商品の販売価格と在庫を知ることができる。また、商品の評価情報を提供した評価者に対して対価を支払うことができる。
【産業上の利用可能性】
【００６０】
本発明による商品評価情報配信システムは、顧客が指定する商品と関連する商品の評価情報を顧客に提供できるため、例えば、洋服に対してハンバックや靴等を販売する衣類販売業や、食品を組み合わせた調理方法の紹介業や、オーディオ機器におけるアンプとスピーカの組み合わせ、パーソナルコンピュータにおける本体と周辺器の組み合わせ等の電気製品販売業に特に有効である。
【図１】
2006134795.tif 000002
【図２】
2006134795.tif 000003
【図３】
2006134795.tif 000004
【図４】
2006134795.tif 000005
【図５】
2006134795.tif 000006
【図６】
2006134795.tif 000007
【図７】
2006134795.tif 000008
【図８】
2006134795.tif 000009
【図９】
2006134795.tif 000010
【図１０】
2006134795.tif 000011
【図１１】
2006134795.tif 000012
【図１２】
2006134795.tif 000013
【国際調査報告】
2006134795.tif 000014
2006134795.tif 000015